(57)【要約】【課題】バッテリポストへのバッテリターミナルの固定作業が容易で、異なるポスト径にも対応可能な汎用性に優れたバッテリターミナルおよびワイヤハーネスを提供する。【解決手段】バッテリポスト３１を取り囲む環状台座部２１ａおよびそこから上方に突出する筒状部２１ｂを有する台座部材２１と、筒状部２１ｂの内方で環状台座部２１ａに支持されつつバッテリポスト３１を取り囲む端子部２２ａおよびそれと一体のケーブル接続部２２ｂを有する接続端子２２と、バッテリポスト３１の周囲で接続端子２２の端子部２２ａに接触する環状導体部２３ａおよびそこからバッテリポスト３１に向って斜上方に突出する複数の弾性導体片部２３ｂを有する弾性導体部材２３と、筒状部２１ｂに結合して、複数の弾性導体片部２３ｂをバッテリポスト３１に圧接させつつ環状導体部２３ａを接続端子２２の端子部２２ａに圧接させる押圧カバー部材２５とを備える。【選択図】図１
2017091620.tif 000002
【特許請求の範囲】
【請求項１】
バッテリポストを取り囲む環状台座部および該環状台座部から上方に突出する筒状部を有する台座部材と、
前記筒状部の内方で前記環状台座部に支持されつつ前記バッテリポストを取り囲む端子部および該端子部に一体に結合するケーブル接続部を有する接続端子と、
前記バッテリポストの周囲で前記接続端子の前記端子部に接触する環状導体部および該環状導体部から前記バッテリポストの外周面に向って斜上方に突出する複数の弾性導体片部を有する弾性導体部材と、
前記台座部材の前記筒状部に凹凸係合し、前記弾性導体部材の前記複数の弾性導体片部を前記バッテリポストに圧接させつつ前記弾性導体部材の前記環状導体部を前記接続端子の前記端子部に圧接させる押圧カバー部材と、を備えたことを特徴とするバッテリターミナル。
【請求項２】
前記台座部材の前記環状台座部、前記接続端子の接続部および前記弾性導体部材の前記環状導体部が、それぞれ円環状をなしていることを特徴とする請求項１に記載のバッテリターミナル。
【請求項３】
前記押圧カバー部材と前記弾性導体部材の前記複数の弾性導体片部との間に介在する押圧リングを備え、
前記弾性導体部材の前記環状導体部が前記押圧カバー部材に可動に保持される状態で、前記押圧リングが前記弾性導体部材および前記押圧カバー部材の間に保持されていることを特徴とする請求項１または２に記載のバッテリターミナル。
【請求項４】
請求項１または請求項２に記載のバッテリターミナルと、前記接続端子に接続された電源線と、を備えたワイヤハーネス。
【発明の詳細な説明】
【技術分野】
【０００１】
本発明は、バッテリターミナルおよびワイヤハーネスに関し、特に、バッテリターミナルとそれを備えた電源回路用のワイヤハーネスに関する。
【背景技術】
【０００２】
バッテリポスト、すなわち、バッテリの電極ポストに電源線を接続するためバッテリターミナルは、従前より金具をねじ締めするものが多いが、そのねじ締め固定のためのねじ孔が横向きになっているため、ねじ締め作業性が良くなかった。
【０００３】
そこで、従来、例えばバッテリポストおよびバッテリターミナルに対して斜め方向へのねじ締め作業を可能にしたもの（例えば特許文献１参照）や、バッテリターミナルに対して上方向からのねじ締め作業を可能にしたもの（例えば、特許文献２参照）が提案されている。
【０００４】
また、バッテリポストに対し軸方向にワンタッチで着脱できるようにしたもの（例えば、特許文献３参照）も提案されている。
【先行技術文献】
【特許文献】
【０００５】
【特許文献１】実開平０６−０５４２０４号公報
【特許文献２】特開平０９−３５７０２号公報
【特許文献３】特開平０９−８８９２２号公報
【発明の概要】
【発明が解決しようとする課題】
【０００６】
しかしながら、バッテリターミナルに対して斜め方向へのねじ締め作業を可能にした従来のワイヤハーネスでも、上方向からのねじ締め作業に比べると、作業性が悪かった。
【０００７】
また、上方向からのねじ締め作業を可能にした従来のワイヤハーネスにあっては、ねじ締め工程が２回必要となってしまい、その点で作業性が悪かった。
【０００８】
さらに、これら従来のワイヤハーネスにあっては、いずれもバッテリターミナルを任意の取付位置に簡単に仮位置決めするということができなかった。
【０００９】
一方、バッテリポストに対し軸方向にワンタッチで着脱できるようにした従来のワイヤハーネスにあっては、部品点数が非常に多くなるばかりか、特定の規格のバッテリポスト径にしか適用できないため、バッテリポスト径が異なると、さらに、別のバッテリターミナルが必要になり、汎用性に欠けるコスト高のものにならざるを得なかった。
【００１０】
本発明は、このような従来の未解決の課題を解決するものであり、バッテリポストへのバッテリターミナルの固定作業が容易で、しかも、異なる複数のバッテリポスト径に対応可能な汎用性に優れたバッテリターミナルおよびワイヤハーネスを提供することを目的とする。
【課題を解決するための手段】
【００１１】
本発明に係るバッテリターミナルは、上記目的達成のため、バッテリポストを取り囲む環状台座部および該環状台座部から上方に突出する筒状部を有する台座部材と、前記筒状部の内方で前記環状台座部に支持されつつ前記バッテリポストを取り囲む端子部および該端子部に一体に結合するケーブル接続部を有する接続端子と、前記バッテリポストの周囲で前記接続端子の前記端子部に接触する環状導体部および該環状導体部から前記バッテリポストの外周面に向って斜上方に突出する複数の弾性導体片部を有する弾性導体部材と、前記台座部材の前記筒状部に凹凸係合し、前記弾性導体部材の前記複数の弾性導体片部を前記バッテリポストに圧接させつつ前記弾性導体部材の前記環状導体部を前記接続端子の前記端子部に圧接させる押圧カバー部材と、を備えたことを特徴とする。
【００１２】
したがって、本発明のバッテリターミナルでは、上方からのねじ締め等による結合作業が可能であり、しかも、外径が異なる複数種のバッテリポストのうちいずれに対しても、弾性導体部材を介してバッテリポストと接続端子を所定の接触圧および接触面積で圧接させながら接続することができる。また、弾性導体部材のバッテリポストへの圧接姿勢から、バッテリターミナルの確実な抜け止め固定が可能となるとともに、仮止め、すなわち、仮位置決めも容易に可能となる。さらに、接続端子に一般的な丸形板端子等を好適に用いることができる。したがって、バッテリポストへのバッテリターミナルの固定作業が容易で、しかも、異なる複数のバッテリポスト径に対応可能な汎用性に優れたバッテリターミナルとなる。
【００１３】
本発明のバッテリターミナルは、前記台座部材の前記環状台座部、前記接続端子の接続部および前記弾性導体部材の前記環状導体部が、それぞれ円環状をなしている構成とすることができる。
【００１４】
また、前記押圧カバー部材と前記弾性導体部材の前記複数の弾性導体片部との間に介在する押圧リングを備え、前記弾性導体部材の前記環状導体部が前記押圧カバー部材に可動に保持される状態で、前記押圧リングが前記弾性導体部材および前記押圧カバー部材の間に保持されている構成としてもよい。
【００１５】
本発明に係るワイヤハーネスは、上記のいずれかのバッテリターミナルと、前記接続端子に接続された電源線と、を備えた構成となっている。
【００１６】
したがって、バッテリポストへのバッテリターミナルの固定作業が容易で、しかも、異なる複数のバッテリポスト径に対応可能な汎用性に優れたバッテリターミナル付きのワイヤハーネスとなる。
【発明の効果】
【００１７】
本発明によれば、バッテリポストへのバッテリターミナルの固定作業が容易で、しかも、異なる複数のバッテリポスト径に対応可能な汎用性に優れたバッテリターミナルおよびワイヤハーネスを提供することができる。
【図面の簡単な説明】
【００１８】
【図１】本発明の一実施の形態に係るバッテリターミナルの組付け開始時のサブアセンブル状態を示す斜視図である。
【図２】本発明の一実施の形態に係るバッテリターミナルの組付け開始時のサブアセンブル状態を示す正面断面図である。
【図３】本発明の一実施の形態に係るワイヤハーネスにおけるバッテリターミナルの分解斜視図である。
【図４】本発明の一実施の形態に係るバッテリターミナルの分解正面断面図である。
【図５】本発明の一実施の形態に係るバッテリターミナルの仮固定状態を示す斜視図である。
【図６】本発明の一実施の形態に係るバッテリターミナルの組付け完了状態時の状態を示す斜視図である。
【図７】本発明の一実施の形態に係るバッテリターミナルの組付け完了状態時の状態を示す正面断面図である。
【図８】本発明の一実施の形態に係るバッテリターミナルが異なる規格のバッテリポストに適用可能であることの説明図である。
【発明を実施するための形態】
【００１９】
以下、本発明を実施するための形態について図面を参照しつつ説明する。
【００２０】
（一実施の形態）
図１ないし図８は、本発明に係るバッテリターミナルおよびワイヤハーネスの一実施の形態を示している。本実施の形態は、本発明を自動車用のバッテリに電源線を接続するための電源回路用のワイヤハーネスに適用するもので、バッテリの電極ポスト、すなわち、バッテリポストに接続する接続端子の主要部を板端子として例示するものである。
【００２１】
まず、本実施の形態のバッテリターミナルおよびワイヤハーネスの構成を説明する。
【００２２】
図１ないし図４に示すように、本実施の形態のワイヤハーネス１０は、絶縁被覆された電源接続用の電線を主要部とするワイヤハーネス本体１１（一端部のみ図示する）と、そのワイヤハーネス本体１１の一端側に圧着接続された丸形の板端子を含むバッテリターミナル１２とによって構成されている。
【００２３】
図５ないし図７に示すように、ワイヤハーネス本体１１は、その一端側でバッテリターミナル１２を介してバッテリ３０の略円柱状のバッテリポスト３１に接続されており、他端側では、図外の電源回路や補機類（車両用電装品の一部）に接続されている。なお、バッテリ３０は、自動車に搭載される所定の規格の蓄電池である。
【００２４】
ワイヤハーネス本体１１を構成する電源接続用の電線（以下、電源線という）は、例えば複数本の軟銅もしくはアルミニウム合金等の素線からなる芯線部１１ａと、その芯線部１１ａを長さ方向のほぼ全域で絶縁被覆する被覆材１１ｂとを有する被覆電線である。
【００２５】
図３および図４に示すように、バッテリターミナル１２は、それぞれ内方にバッテリ３０のバッテリポスト３１を挿入することができる台座部材２１、接続端子２２、弾性導体部材２３、押圧リング２４および押圧カバー部材２５によって構成されている。
【００２６】
台座部材２１は、バッテリポスト３１を取り囲む円環板状の環状台座部２１ａおよびその環状台座部２１ａから上方に突出する筒状部２１ｂを有しており、全体として有底の略円筒形状をなしている。また、台座部材２１の環状台座部２１ａには、バッテリポスト３１を挿通可能な中心孔２１ｃが形成されており、台座部材２１の筒状部２１ｂには、接続端子２２の一部をその筒状部２１ｂの内外に貫通させる凹状の切欠き２１ｄと、押圧カバー部材２５に結合可能な結合部２１ｅが形成されている。
【００２７】
この台座部材２１の結合部２１ｅは、押圧カバー部材２５の結合部２５ｃに対し径方向に凹凸をなして凹凸係合するものであり、例えばねじ結合により締結する。したがって、台座部材２１は、その結合に足りる剛性を有するものであればよく、導電性が有っても無くてもよい。
【００２８】
接続端子２２は、丸形の板端子に代表される電源接続用の接続端子であり、台座部材２１の筒状部２１ｂの内方に収納されつつ環状台座部２１ａに支持された端子部２２ａと、ワイヤハーネス本体１１の芯線部１１ａに圧着もしくは溶着されたケーブル接続部２２ｂと、これら端子部２２ａおよびケーブル接続部２２ｂを一体に結合する結合導体部２２ｃとによって構成されている。
【００２９】
接続端子２２の端子部２２ａは、例えばバッテリポスト３１を取り囲む円環板状をなしており、ケーブル接続部２２ｂおよび結合導体部２２ｃと共に一枚の導体板に対し打抜きや曲げ加工を施して形成されている。この接続端子２２は、ワイヤハーネス本体１１に被覆材１１ｂの外方から結合する樹脂バレル部を併有するものであってもよい。
【００３０】
弾性導体部材２３は、接続端子２２に近い導電率と、接続端子２２より高い弾性係数もしくはばね性とを有する導体金属、例えば銅系金属からなるリング状のもので、接続端子２２の端子部２２ａおよびバッテリポスト３１の双方に対して所定の接触圧および接触面積をもって圧接可能になっている。
【００３１】
この弾性導体部材２３は、バッテリポスト３１の周囲で接続端子２２の端子部２２ａに接触する環状導体部２３ａと、その環状導体部２３ａからバッテリポスト３１の外周面３１ａに向って、環状導体部２３ａの放射内方側かつ図２中の斜上方側に突出する複数の弾性導体片部２３ｂと、によって構成されている。
【００３２】
押圧リング２４は、図２中の下端側内周部分２４ａで弾性導体部材２３の複数の弾性導体片部２３ｂをバッテリポスト３１側に締め付けるように押圧可能で、かつ、図２中の上端面部分２４ｂでは押圧カバー部材２５に対して回転方向に滑り易い低摩擦係数を有している。すなわち、押圧リング２４は、押圧カバー部材２５からの図２中下向きの押圧力を弾性導体部材２３に伝達する一方、押圧カバー部材２５からの回転は遮断し、弾性導体部材２３に伝達し難くなるように構成されている。
【００３３】
押圧リング２４の内周面は、バッテリポスト３１および弾性導体部材２３の軸線に対する複数の弾性導体片部２３ｂの傾斜角度より傾斜角度が小さいか円筒面となっているが、下端側内周部分２４ａのみが傾斜したり面取りがされたりしていてもよい。
【００３４】
押圧カバー部材２５は、工具などによって回転操作することができる非円形形状の外周部２５ａと、図２中で下向きに開いた凹部２５ｂと、台座部材２１の筒状部２１ｂに着脱可能に結合する結合部２５ｃと、バッテリポスト３１を通す中心孔２５ｄを有している。
【００３５】
押圧カバー部材２５の外周部２５ａは、例えば６角ナットの外周部と類似する形状をなしており、凹部２５ｂは、弾性導体部材２３および押圧リング２４を収納可能な容積を有している。また、押圧カバー部材２５の結合部２５ｃは、台座部材２１の筒状部２１ｂに対して径方向に凹凸係合することで台座部材２１の筒状部２１ｂに着脱可能に結合する形状をなしており、例えば台座部材２１の筒状部２１ｂにねじ結合するようになっている。
【００３６】
押圧カバー部材２５は、台座部材２１の筒状部２１ｂに結合されたとき、押圧リング２４を介して弾性導体部材２３の複数の弾性導体片部２３ｂをバッテリポスト３１の外周面３１ａに圧接させつつ、弾性導体部材２３の環状導体部２３ａを接続端子２２の端子部２２ａに圧接させるようになっている。
【００３７】
押圧リング２４および押圧カバー部材２５は、このように弾性導体部材２３をバッテリポスト３１および接続端子２２に圧接させるための押圧荷重や応力に十分耐え得る剛性を有するものであればよく、導電性が有っても無くてもよい。
【００３８】
ここでは、台座部材２１の環状台座部２１ａ、接続端子２２の端子部２２ａおよび弾性導体部材２３の環状導体部２３ａは、それぞれ円環状をなしているが、非円形の環状でもよい。
【００３９】
また、弾性導体部材２３の環状導体部２３ａが押圧カバー部材２５の凹部２５ｂの内方により内奥側に可動に保持される状態で、押圧リング２４は、弾性導体部材２３および押圧カバー部材２５の間に保持されてもよく、弾性変形可能に一体的に介在してもよい。
【００４０】
さらに、接続部材２２の結合導体部２２ｃを台座部材２１の切欠き２１ｄの両側壁に押し込んで嵌合させる等して、台座部材２１と接続部材２２を一体化することができる。
【００４１】
次に、作用について説明する。
【００４２】
上述のように構成された本実施形態のバッテリターミナル１２を備えたワイヤハーネス１０では、上方からのねじ締め等による結合作業が可能である。
【００４３】
また、バッテリポスト３１に対する弾性導体部材２３の複数の弾性導体片部２３ｂの圧接姿勢から、バッテリターミナル１２の確実な抜け止め固定が可能となる。
【００４４】
しかも、図５に示すように、押圧カバー部材２５とその内方の弾性導体部材２３および押圧リング２４とを、バッテリポスト３１の上端部近傍に位置させて、容易に取り外すことができる状態に仮止め、すなわち、仮位置決めすることも可能となる。
【００４５】
加えて、図８に示すバッテリポスト３１Ａ、３１Ｂ、３１Ｃ、３１Ｄのように、バッテリポスト３１の規格が互いに異なり、その外径や外周面形状（例えば、円筒面やテーパ面、ねじ形成面）が異なる場合でも、弾性導体部材２３は、その外径や外周面形状、装着位置に応じて、複数の弾性導体片部２３ｂの装着時の内径を変化させることができる。
【００４６】
したがって、外径が異なる複数種のバッテリポスト３１Ａ〜３１Ｄのうちいずれに対しても、弾性導体部材２３を介して接続端子２２を強固に圧接状態でかつ所定の接触面積を確保しつつ接続することができる。
【００４７】
このように、本実施形態のバッテリターミナル１２は、バッテリポスト３１へのバッテリターミナル１２の固定作業が容易で、しかも、異なる複数のバッテリポスト径に対応可能な汎用性に優れたものとなる。
【００４８】
また、本実施形態では、台座部材２１の環状台座部２１ａ、接続端子２２の端子部２２ａおよび弾性導体部材２３の環状導体部２３ａが、それぞれ円環状をなしているので、押圧カバー部材２５の凹部２５ｂの内方に弾性導体部材２３や押圧リング２４を組み込むサブアセンブルや、台座部材２１内に接続端子２２の端子部２２ａを収納しつつバッテリポスト３１をそれらの内方に通し作業等が容易化され得る。
【００４９】
また、弾性導体部材２３の環状導体部２３ａが押圧カバー部材２５に可動に保持される状態で、押圧リング２４が弾性導体部材２３および押圧カバー部材２５の間に保持されている構成とすれば、図３および図４に示すような５点構成のバッテリターミナル１２を、取付け時に２点構成にでき、取扱い性や組付け性を向上させることができる。
【００５０】
このように、本実施形態においては、バッテリポスト３１へのバッテリターミナルの固定作業が容易で、しかも、異なる複数のバッテリポスト径に対応可能な汎用性に優れたバッテリターミナルおよびワイヤハーネス１０を提供することができる。
【００５１】
なお、上述の一実施の形態では、押圧カバー部材２５の結合部２５ｃが台座部材２１の筒状部２１ｂにねじ結合するものとしたが、押圧カバー部材２５の結合部２５ｃが押圧カバー部材２５の凹部２５ｂの中心に向かって突出する複数の突起状で構成され、台座部材２１の筒状部２１ｂにそれら突起部に対応する複数の鉤状の溝等が形成されてもよい。
【００５２】
また、弾性導体部材２３の環状導体部２３ａを押圧カバー部材２５の凹部２５ｂの内方で可動に保持する保持部材を別品として設け、押圧リング２４が弾性導体部材２３および押圧カバー部材２５の間に保持されるようにしてもよい。接続端子２２の端子部２２ａの形状に応じて台座部材２１の内周形状やその凹部深さを設定したり、押圧リング２４を押圧カバー部材２５と一体化したりすることができ、後者の場合に、さらに、弾性導体部材２３の環状導体部２３ａに対する回転方向の滑りを確保する手段を付加してもよいことは勿論である。
【００５３】
以上説明したように、本発明は、バッテリポストへのバッテリターミナルの固定作業が容易で、しかも、異なる複数のバッテリポスト径に対応可能な汎用性に優れたバッテリターミナルおよびワイヤハーネスを提供できるものであり、バッテリターミナルとそれを備えた電源回路用のワイヤハーネス全般に有用である。
【符号の説明】
【００５４】
１０  ワイヤハーネス
１１  ワイヤハーネス本体（電源接続用の電線）
１１ａ  芯線部
１１ｂ  被覆材
１２  バッテリターミナル
２１  台座部材
２１ａ  環状台座部
２１ｂ  筒状部
２１ｃ  中心孔
２１ｄ  切欠き
２１ｅ  結合部（凹凸係合部）
２２  接続端子
２２ａ  端子部
２２ｂ  ケーブル接続部
２２ｃ  結合導体部
２３  弾性導体部材
２３ａ  環状導体部
２３ｂ  弾性導体片部
２４  押圧リング
２４ａ  下端側内周部分
２４ｂ  上端面部分
２５  押圧カバー部材
２５ａ  外周部
２５ｂ  凹部
２５ｃ  結合部（凹凸係合部）
３０  バッテリ
３１、３１Ａ、３１Ｂ、３１Ｃ、３１Ｄ  バッテリポスト
３１ａ  外周面
【図１】
2017091620.tif 000003
【図２】
2017091620.tif 000004
【図３】
2017091620.tif 000005
【図４】
2017091620.tif 000006
【図５】
2017091620.tif 000007
【図６】
2017091620.tif 000008
【図７】
2017091620.tif 000009
【図８】
2017091620.tif 000010